(57)【特許請求の範囲】
【請求項１】
装置筐体と、
上記装置筐体に保持されており、被記録媒体に画像を記録する画像記録部と、
上記画像記録部の動作を制御する制御回路が設けられており、高さ方向に直交する面に実装面を沿わせて上記装置筐体内に配置された制御基板と、
電話回線と接続するインタフェース回路が設けられており、上記装置筐体内において、上記面に実装面を沿わせ、上記面に沿う方向において上記制御基板から離間され、上記制御基板に実装された実装部品のうち最も背の高い実装部品の先端から上記制御基板までの高さの範囲内に配置された通信基板と、を備えており、
上記画像記録部は、
インクカートリッジが装着されるカートリッジ装着部と、
上記カートリッジ装着部に一端が接続されたチューブと、
上記チューブの他端が接続されており、上記チューブを介して上記インクカートリッジから供給されたインクを被記録媒体に吐出する記録ヘッドと、を備えており、
上記通信基板は、上記カートリッジ装着部より上方に配置されたものである画像記録装置。
【請求項２】
上記制御基板に実装され、外部装置に一端が接続されたケーブルの他端と接続される第１コネクタと、
上記通信基板に実装され、電話線と接続される第２コネクタと、を更に備えており、
上記装置筐体は、上記第１コネクタを露出させる第１開口と上記第２コネクタを露出させる第２開口とを上壁に備えたものである請求項１に記載の画像記録装置。
【請求項３】
装置筐体と、
上記装置筐体に保持されており、被記録媒体に画像を記録する画像記録部と、
上記画像記録部の動作を制御する制御回路が設けられており、高さ方向に直交する面に実装面を沿わせて上記装置筐体内に配置された制御基板と、
電話回線と接続するインタフェース回路が設けられており、上記装置筐体内において、上記面に実装面を沿わせ、上記面に沿う方向において上記制御基板から離間され、上記制御基板に実装された実装部品のうち最も背の高い実装部品の先端から上記制御基板までの高さの範囲内に配置された通信基板と、
上記制御基板に実装され、外部装置に一端が接続されたケーブルの他端と接続される第１コネクタと、
上記通信基板に実装され、電話線と接続される第２コネクタと、を備えており、
上記装置筐体は、上記第１コネクタを露出させる第１開口と上記第２コネクタを露出させる第２開口とを上壁に備えたものである画像記録装置。
【請求項４】
上記装置筐体は、
上記上壁において、上記第１開口から周縁まで延びており、上記ケーブルが配される第１通路と、
上記第２開口から、上記第１通路の上記周縁側の端まで延びており、上記電話線が配される第２通路と、を備えたものである請求項２又は３に記載の画像記録装置。
【請求項５】
上記第２通路は、上記第１通路における上記第１開口と上記周縁側の端との間において上記第１通路と合流し、上記周縁側の端まで延びるものである請求項４に記載の画像記録装置。
【請求項６】
上記第１通路及び上記第２通路を覆う第１姿勢と、上記第１通路及び上記第２通路を露出させる第２姿勢と、に回動される蓋を更に備えた請求項４または５に記載の画像記録装置。
【請求項７】
上記蓋は、高さ方向に直交する方向における上記装置筐体の端部を軸に回動可能に設けられており、
上記第１コネクタ及び上記第２コネクタは、上記端部以外を向いて配置されたものである請求項６に記載の画像記録装置。
【請求項８】
上記第１通路及び上記第２通路は、上記上壁の上面から凹む溝により構成されており、上記第１通路または上記第２通路の少なくとも一方は、湾曲した湾曲部を備えており、
上記湾曲部における溝の深さは、他の部分よりも深いものである請求項４から７のいずれかに記載の画像記録装置。  
【請求項９】
上記第１通路及び上記第２通路は、上記上壁の上面から凹む溝により構成されており、上記第１通路の上記第１開口側の溝幅と、上記第２通路の上記第２開口側の溝幅とは、他の部分の溝幅よりも広いものである請求項４から８のいずれかに記載の画像記録装置。
【請求項１０】
上記第１コネクタ及び上記第２コネクタは、同じ向きに向いて配置されたものである請求項２から９のいずれかに記載の画像記録装置。
【請求項１１】
上記第１コネクタ及び上記第２コネクタは、上記高さ方向に直交する第１方向と、上記高さ方向及び上記第１方向に直交する第２方向との両方向において異なる位置に配置されたものである請求項２から１０のいずれかに記載の画像記録装置。
【請求項１２】
上記第１コネクタは、ＵＳＢコネクタであり、
上記第１コネクタの隣には、ＬＡＮケーブルのコネクタが接続される第３コネクタが実装されており、
上記第２コネクタの隣には、上記インタフェース回路と接続されており、外部電話機に一端が接続された電話線の他端と接続される第４コネクタが実装されたものである請求項２から１１のいずれかに記載の画像記録装置。
【請求項１３】
上記高さ方向に直交する方向において上記カートリッジ装着部の隣に配置され、被記録媒体が載置されるトレイを更に備えており、
上記制御基板は、上記トレイの上側に配置されており、
上記通信基板は、上記カートリッジ装着部の上側に配置されたものである請求項１に記載の画像記録装置。
【請求項１４】
装置筐体と、
上記装置筐体に保持されており、被記録媒体に画像を記録する画像記録部と、
上記画像記録部の動作を制御する制御回路を有する制御基板に実装されており、外部装置に一端が接続されたケーブルの他端と接続される第１コネクタと、
インタフェース回路を有する通信基板に実装されて当該インタフェース回路と接続されており、電話線と接続される第２コネクタと、
高さ方向に直交する第１方向における上記装置筐体の一端部を軸に回動可能に設けられており、上記第１コネクタ及び上記第２コネクタの上側を覆う第１姿勢、上記第１コネクタ及び上記第２コネクタを露出させる第２姿勢に回動される蓋と、を備えており、
上記第１コネクタ及び上記第２コネクタは、上記装置筐体の上記一端部よりも他端部に近い位置にそれぞれ配置され、且つ、上記第１方向と、上記高さ方向及び上記第１方向に直交する第２方向との２方向のうち少なくともいずれか一方向において異なる位置に配置された画像記録装置。
【発明の詳細な説明】
【技術分野】
【０００１】
本発明は、画像記録部の動作を制御する制御回路が設けられた制御基板と、制御回路及び電話回線の間のインタフェース回路が設けられた通信基板と、を備えた画像記録装置に関する。
【背景技術】
【０００２】
従来より、被記録媒体に画像を記録する画像記録部と、この画像記録部の動作を制御する制御回路が設けられた制御基板と、電話回線が接続される電話端子を有する通信ユニットと、を備えた画像記録装置が提供されている（特許文献１参照）。通信ユニットは、機器本体の下部に配置されており、機器本体の上部に配置された制御基板と通信ケーブルにより電気的に接続されている。
【先行技術文献】
【特許文献】
【０００３】
【特許文献１】特開２００７−３０１８２２号公報
【発明の概要】
【発明が解決しようとする課題】
【０００４】
制御回路と電話回線との間のインタフェース回路が設けられ、且つ電話回線が接続されるコネクタが実装された通信基板（通信ユニット）を機器本体の下部に配置し、制御基板を機器本体の上部に配置すると、機器本体の高さが高くなって装置が大型化してしまう。
【０００５】
本発明は、上記事由に鑑みてなされたものであり、その目的とするところは、装置を小型化できる手段を提供することにある。
【課題を解決するための手段】
【０００６】
(1)  本発明の画像記録装置は、装置筐体と、上記装置筐体に保持されており、被記録媒体に画像を記録する画像記録部と、上記画像記録部の動作を制御する制御回路が設けられており、高さ方向に直交する面に実装面を沿わせて上記装置筐体内に配置された制御基板と、電話回線と接続するインタフェース回路が設けられており、上記装置筐体内において、上記面に実装面を沿わせ、上記面に沿う方向において上記制御基板から離間され、上記制御基板に実装された実装部品のうち最も背の高い実装部品の先端から上記制御基板までの高さの範囲内に配置された通信基板と、を備えている。
【０００７】
通信基板は、制御基板に実装された実装部品のうち最も背の高い実装部品の先端から制御基板までの高さの範囲内に配置されているので、装置筐体の高さを高くすることなく通信基板を装置筐体内に配置できる。
【０００８】
(2)  上記画像記録部は、インクカートリッジが装着されるカートリッジ装着部と、上記カートリッジ装着部に一端が接続されたチューブと、上記チューブの他端が接続されており、上記チューブを介して上記インクカートリッジから供給されたインクを被記録媒体に吐出する記録ヘッドと、を備えており、上記通信基板は、上記カートリッジ装着部より上方に配置されたものであってもよい。
【０００９】
通信基板は、カートリッジ装着部より上方に配置されるので、カートリッジ装着部に装着できない種類のインクカートリッジが無理にカートリッジ装着部に装着されるなどしてインクカートリッジからインクが漏れ出したとしても、漏れ出したインクが通信基板に付着することがない。
【００１０】
(3)  本発明の画像記録装置は、上記制御基板に実装され、外部装置に一端が接続されたケーブルの他端と接続される第１コネクタと、上記通信基板に実装され、電話線と接続される第２コネクタと、を更に備えており、上記装置筐体は、上記第１コネクタを露出させる第１開口と上記第２コネクタを露出させる第２開口とを上壁に備えたものであってもよい。
【００１１】
ケーブルは、第１開口を通じて第１コネクタに接続される。電話線は、第２開口を通じて第２コネクタに接続される。よって、制御基板及び通信基板にユーザが触れることを防止でき、且つ、ケーブル及び電話線を第１コネクタ及び第２コネクタに接続できる。
【００１２】
(4)  上記装置筐体は、上記上壁において、上記第１開口から周縁まで延びており、上記ケーブルを当該周縁まで案内する第１通路と、上記第２開口から、上記第１通路の上記周縁側の端まで延びており、上記電話線を上記第１通路の上記周縁側の端まで案内する第２通路と、を備えたものであってもよい。
【００１３】
第１コネクタに接続されたケーブルは、装置筐体の上壁上において、第１通路により位置決めされる。第２コネクタに接続された電話線は、装置筐体の上壁上において、第２通路により位置決めされる。
【００１４】
(5)  上記第２通路は、上記第１通路における上記第１開口と上記周縁側の端との間において上記第１通路と合流し、上記周縁側の端まで延びるものであってもよい。これにより、装置筐体の構成が簡単になる。
【００１５】
(6)  本発明の画像記録装置は、上記第１通路及び上記第２通路を覆う第１姿勢と、上記第１通路及び上記第２通路を露出させる第２姿勢と、に回動される蓋を更に備えたものであってもよい。
【００１６】
蓋が第１姿勢にされることにより、ケーブル及び電話線が覆い隠されて保護される。また、蓋が第２姿勢にされることにより、ケーブル及び電話線を第１コネクタ及び第２コネクタに接続できる。
【００１７】
(7)  上記蓋は、高さ方向に直交する方向における上記装置筐体の端部を軸に回動可能に設けられており、上記第１コネクタ及び上記第２コネクタは、上記端部以外を向いて配置されたものであってもよい。
【００１８】
ケーブル及び電話線を第１コネクタ及び第２コネクタに接続または離脱させる際に、蓋が邪魔になることがなく、ケーブル及び電話線を第１コネクタ及び第２コネクタに接続または離脱させる作業が容易になる。
【００１９】
(8)  上記第１コネクタ及び上記第２コネクタは、同じ向きに向いて配置されたものであってもよい。ユーザは、視線の向きを変えることなくケーブル及び電話線を第１コネクタ及び第２コネクタに接続または離脱させることができ、ケーブル及び電話線を第１コネクタ及び第２コネクタに接続または離脱させる作業が容易になる。
【００２０】
(9)  上記第１通路及び上記第２通路は、上記上壁の上面から凹む溝により構成されており、上記第１通路または上記第２通路の少なくとも一方は、湾曲した湾曲部を備えており、上記湾曲部における溝の深さは、他の部分よりも深いものであってもよい。深さの深い湾曲部により、湾曲部に沿って撓められたケーブルまたは電話線が第１通路または第２通路から外れることを抑制できる。
【００２１】
(10)  上記第１コネクタ及び上記第２コネクタは、上記高さ方向に直交する第１方向と、上記高さ方向及び上記第１方向に直交する第２方向との両方向において異なる位置に配置されたものであってもよい。
【００２２】
ケーブルを第１コネクタに接続または離脱させる際に、第２コネクタに接続された電話線が邪魔になることがない。また、電話線を第２コネクタに接続または離脱させる際に、第１コネクタに接続されたケーブルが邪魔になることがない。その結果、ケーブル及び電話線を第１コネクタ及び第２コネクタに接続する作業が容易になる。
【００２３】
(11)  上記第１コネクタは、ＵＳＢコネクタであり、上記第１コネクタの隣には、ＬＡＮケーブルのコネクタが接続される第３コネクタが実装されており、上記第２コネクタの隣には、上記インタフェース回路と電気的に接続されており、外部電話機に一端が接続された電話線の他端と接続される第４コネクタが実装されたものであってもよい。
【００２４】
(12)  上記第１通路及び上記第２通路は、上記上壁の上面から凹む溝により構成されており、上記第１通路の上記第１開口側の溝幅と、上記第２通路の上記第２開口側の溝幅とは、他の部分の溝幅よりも広いものであってもよい。
【００２５】
溝幅の狭い部分において、ケーブル及び電話線が位置決めされる。ユーザは、第１開口側及び第２開口側の溝幅の広い部分に手または指を入れ、ケーブル及び電話線を第１コネクタ及び第２コネクタに接続または離脱させる。その結果、ケーブル及び電話線を位置決めでき、且つ、ケーブル及び電話線を第１コネクタ及び第２コネクタに接続または離脱させる作業が容易になる。
【００２６】
(13)  上記高さ方向に直交する方向において上記カートリッジ装着部の隣に配置され、被記録媒体が載置されるトレイを更に備えており、上記制御基板は、上記トレイの上側に配置されており、上記通信基板は、上記カートリッジ装着部の上側に配置されたものであってもよい。
【００２７】
(14)  本発明の画像記録装置は、装置筐体と、上記装置筐体に保持されており、被記録媒体に画像を記録する画像記録部と、上記画像記録部の動作を制御する制御回路を有する制御基板に実装されており、外部装置に一端が接続されたケーブルの他端と接続される第１コネクタと、インタフェース回路を有する通信基板に実装されて当該インタフェース回路と接続されており、電話線と接続される第２コネクタと、高さ方向に直交する第１方向における上記装置筐体の端部を軸に回動可能に設けられており、上記第１コネクタ及び上記第２コネクタの上側を覆う第１姿勢、上記第１コネクタ及び上記第２コネクタを露出させる第２姿勢に回動される蓋と、を備えており、上記第１コネクタ及び上記第２コネクタは、上記装置筐体の上記一端部よりも他端部に近い位置にそれぞれ配置され、且つ、上記第１方向と、上記高さ方向及び上記第１方向に直交する第２方向との２方向のうち少なくともいずれか一方向において異なる位置に配置されている。
【００２８】
複数のコネクタが設けられたとしても、装置を小型化できる。
【発明の効果】
【００２９】
本発明によれば、装置を小型化できる。
【図面の簡単な説明】
【００３０】
【図１】スキャナ部１１が閉じられた状態の画像記録装置１０の外観斜視図である。
【図２】スキャナ部１１が開かれた状態の画像記録装置１０の外観斜視図である。
【図３】（Ａ）はコネクタパネル２５が開かれた状態の画像記録装置１０の外観斜視図であり、（Ｂ）は通話機１３の外観斜視図である。
【図４】画像記録装置１０の模式的な縦断面図である。
【図５】本体２０の下部の平面図である。
【図６】本体２０内部の斜視図である。
【図７】本体２０の平面図である。
【図８】（Ａ）は制御基板９０及び通信基板７０の模式的な平面図であり、（Ｂ）は制御基板９０及び通信基板７０の模式的な正面図であり、（Ｃ）は第２溝８２を通るカバー８０の縦断面図である。
【図９】実施形態のブロック図である。
【図１０】変形例１の本体２０の模式的な斜視図である。
【図１１】変形例２の制御基板９０及び通信基板７０を示す図面であり、（Ａ）は平面図で、（Ｂ）は正面図である。
【発明を実施するための形態】
【００３１】
以下、本発明の実施形態について説明がされる。なお、以下に説明される実施形態は本発明の一例であり、本発明の要旨を変更しない範囲において実施形態が適宜変更されてもよい。以下の説明においては、図１に示されるように、画像記録装置１０を使用可能に設置した状態を基準として上下方向７が定義されている。また、操作パネル１８が画像記録装置１０の側面に設けられており、当該側面を画像記録装置１０の前面（正面）として前後方向８が定義されている。また、画像記録装置１０を前面側から見て左右方向９が定義されている。
【００３２】
［画像記録装置１０の概要］
図１に示されるように、画像記録装置１０は、記録用紙や、光沢紙や、葉書等であるシート６（図４、被記録媒体に相当する）に画像を記録するプリンタ部１１と、原稿（不図示）に記録された画像を取り込むスキャナ部１２と、通話機１３（図３（Ｂ））とを備えており、プリント、スキャン、コピー、ファックス及び通話等を行うことができる。
【００３３】
［スキャナ部１２］
スキャナ部１２（蓋に相当する）は、プリンタ部１１の上に配置され、前後方向８における後端部を軸に回動可能にプリンタ部１１に支持されている。スキャナ部１２は、ユーザにより、図１に示される閉姿勢（第１姿勢に相当する）、及び図２に示される開姿勢（第２姿勢に相当する）に回動される。開姿勢にあるスキャナ部１２は、支持アーム１４により支持される。スキャナ部１２が開姿勢にされることにより、第１通路３５及び第２通路３６が外部に露出される。スキャナ部１２が閉姿勢にされることにより、第１通路３５及び第２通路３６がスキャナ部１２により覆われる。詳しくは後述される。
【００３４】
［通話機１３］
図３（Ｂ）に示される通話機１３は、電話回線による通話に用いられる。通話機１３は、器体１５と、器体１５に設けられた複数の窓から外部に露出された複数の操作ボタン１６と、器体１５内に配置された不図示の基板とを備えている。この基板には、音声を音声信号に変換するマイクロフォン、及び音声信号を音声に変換するスピーカが実装されている。通話機１３は、基板に設けられたアンテナにより、プリンタ部１１と無線通信を行う。通話機１３は、台座１７に載置される。
【００３５】
［プリンタ部１１の概要］
図１に示されるように、プリンタ部１１は、本体２０と、本体２０の下部に収容された給紙カセット３０とを備えている。図４に示されるように、本体２０（画像記録部に相当する）は、給紙カセット３０からシート６を送り出す給送部４０と、送り出されたシート６を搬送する搬送部５０と、搬送されるシート６に画像を記録する記録部６０と、これらを保持する装置筐体２１（図１）とを備えている。以下、プリンタ部１１の各構成について説明がされる。
【００３６】
［装置筐体２１］
図１に示されるように、装置筐体２１（装置筐体に相当する）は、給紙カセット３０が挿抜される挿抜口２２を前後方向８における前面に有している。挿抜口２２の奥側に、給紙カセット３０を前後方向８へスライド可能に保持する不図示のレール部が設けられている。
【００３７】
装置筐体２１は、給紙カセット３０が配置される空間の上面を区画する支持板２３（図４）を備えている。支持板２３の上側に、後述される制御基板９０及び通信基板７０が配置されている。
【００３８】
装置筐体２１は、操作パネル１８が嵌め込まれる不図示の凹部を挿抜口２２の上側に備えている。この凹部には、操作パネル１８の上端部を回動可能に支持する支持部が設けられている。操作パネル１８は、ユーザにより回動されることにより、表示面の向きを変える。
【００３９】
装置筐体２１は、左右方向９における挿抜口２２の右側に開閉蓋２４を備えている。開閉蓋２４は、下端部を軸に回動可能に設けられている。開閉蓋２４の奥側であって、支持板２３（図４）の下側に、図５に示されるカートリッジ装着部６４（カートリッジ装着部に相当する）が配置されている。開閉蓋２４が開かれることにより、カートリッジ装着部６４が外部に露出される。カートリッジ装着部６４には、インクを収容したインクカートリッジ６５（インクカートリッジに相当する）が装着される。
【００４０】
図１に示されるように、装置筐体２１は、左右方向９における操作パネル１８の左側にコネクタパネル２５を備えている。コネクタパネル２５は、下端部を軸に回動可能に設けられている。図３（Ａ）に示されるように、コネクタパネル２５の奥の壁には、第１挿入口２７及び第２挿入口２８が開口されている。コネクタパネル２５がユーザにより開かれることにより、第１挿入口２７及び第２挿入口２８から後述のＵＳＢコネクタ９６及びカードソケット９８が外部に露出される。ＵＳＢコネクタ９６には、ユーザにより、図９に示されるＵＳＢメモリ１０１（登録商標）が装着される。カードソケット９８には、ユーザにより、ＳＤカード１０３（登録商標）やメモリースティック１０２（登録商標）が装着される。
【００４１】
図２に示されるように、装置筐体２１は、上壁を構成するカバー８０を備えている。カバー８０については、後で詳細な説明がされる。
【００４２】
［給紙カセット３０］
図４に示されるように、給紙カセット３０は、画像記録前のシート６を保持するメイントレイ３１（トレイに相当する）と、画像記録後のシート６を保持する排紙トレイ３２とを備えている。図１に示されるように、給紙カセット３０は、挿抜口２２の奧であって且つ本体２０の下部となる位置に配置されており、左右方向９（高さ方向に直交する方向に相当する）においてカートリッジ装着部６４と隣り合っている。給紙カセット３０は、装置筐体２１に設けられたレール部により、前後方向８へスライド可能に支持されている。
【００４３】
［給送部４０］
図４に示されるように、給送部４０は、不図示のフレームに回転可能に支持された支軸４１と、支軸４１に一端部が回動可能に支持されたアーム４２と、アーム４２の他端部に回転可能に支持された給送ローラ４３とを備えている。アーム４２には、支軸４１の回転を給送ローラ４３に伝達する複数個のギア４４が設けられている。支軸４１が不図示の駆動モータにより回転されると、支軸４１との摩擦力によりアーム４２が支軸４１と一体に回動され、給送ローラ４３がメイントレイ３１上のシート６に当接する。そうすると、アーム４２の回動が制止されるとともに、ギア４４を介して支軸４１により回転された給送ローラ４３により、シート６が搬送路５１へ送り出される。
【００４４】
［搬送部５０］
図４に示されるように、搬送部５０は、搬送路５１を区画する不図示のガイド部材及びプラテン５４と、搬送ローラ対５５と、排紙ローラ対５６とを備えている。搬送路５１は、１点鎖線により示される湾曲路５２と、２点鎖線により示される直線路５３とを備えている。湾曲路５２は、前後方向８におけるメイントレイ３１の後端の上端を基端として上方へ向かって湾曲して延びている。直線路５３は、湾曲路５２の終端から前方へ向かって直線状に延びている。プラテン５４は、前後方向８における給紙カセット３０の後部の上側に配置されており、直線路５３の下面の一部を区画している。プラテン５４上においてシート６に画像が記録される。
【００４５】
搬送ローラ対５５は、プラテン５４の前後方向８における後側に配置されている。搬送ローラ対５５は、不図示の駆動モータにより駆動されることにより、搬送路５１にあるシート６を挟み、図４の矢印に示される搬送向きへシート６を搬送する。
【００４６】
排紙ローラ対５６は、前後方向８におけるプラテン５４の前側に設けられている。排紙ローラ対５４は、不図示の駆動モータにより駆動されることにより、搬送路５１にあるシート６を挟み、図４の矢印に示される搬送向きへシート６を搬送する。
【００４７】
シート６は、搬送ローラ対５５及び排紙ローラ対５６により、プラテン５４上において間欠搬送され、記録部６０により画像を記録される。画像を記録されたシート６は、排紙ローラ対５６により、排紙トレイ３２に排出される。
【００４８】
［記録部６０］
図４に示されるように、記録部６０は、プラテン５４の上側に配置されたキャリッジ６１と、キャリッジ６１に搭載された記録ヘッド６２（記録ヘッドに相当する）とを備えている。図５に示されるように、キャリッジ６１は、左右方向９へ往復動可能にガイドレール６８，６９に支持されており、不図示の駆動モータにより左右方向９へ往復動される。
【００４９】
記録ヘッド６２には、チューブ６３（チューブに相当する）及びケーブル６６の一端がそれぞれ接続されている。チューブ６３の他端は、カートリッジ装着部６４に接続されている。ケーブル６６の他端は制御基板９０（図８）に接続されている。カートリッジ装着部６４にインクカートリッジ６５が装着されると、インクカートリッジ６５内のインクがチューブ６３を介して記録ヘッド６２に供給される。記録ヘッド６２は、供給されたインクをインク滴としてプラテン５４上のシート６へ吐出する。
【００５０】
［カバー８０］
図２に示されるように、カバー８０は、板状の外形を呈する合成樹脂成型品であり、装置筐体２１の上壁を構成している。カバー８０は、装置筐体２１に上から嵌め込まれて装着され、その上面は、一部に凹みや開口が形成されている。開口以外の場所では、カバー８０の下方にある記録部６０や搬送部５０を、外方に露出しないようカバー８０が覆っている。カバー８０は、上面から凹む第１溝８１、第２溝８２及び第３溝８３を備えている。第１溝８１及び第２溝８２により第１通路３５（第１通路に相当する）が構成されている。第１溝８１及び第３溝８３により第２通路３６（第２通路に相当する）が構成されている。図７に示されるように、第１通路３５には、ＵＳＢケーブル７６及びＬＡＮケーブル７７が配置される。第２通路３６には、２本の電話線７８，７９が配置される。ＵＳＢケーブル７６、ＬＡＮケーブル７７及び２本の電話線７８，７９は、第１通路３５及び第２通路３６により、カバー８０上に配置され位置決めされる。
【００５１】
第１溝８１は、左右方向９におけるカバー８０の右端部に前後方向８に沿って延びるように設けられている。第１溝８１は、装置筐体２１の前後方向８における後面の上端部において開口する第３開口８１Ａ（周縁側の端に相当する）まで延びている。第１溝８１の溝幅（左右方向９における長さ）及び深さは、ＵＳＢケーブル７６、ＬＡＮケーブル７７及び２本の電話線７８，７９を配置可能な広さ及び深さにされている。ＵＳＢケーブル７６、ＬＡＮケーブル７７、及び２本の電話線７８，７９は、第３開口８１Ａから装置筐体２１の後方へ引き出される。
【００５２】
第２溝８２は、前後方向８における第１溝８１の中央部から、左右方向９におけるカバー８０の中央部まで、左右方向９に沿って延びるように設けられている。第２溝８２の溝幅（前後方向８における長さ）及び深さは、ＵＳＢケーブル７６及びＬＡＮケーブル７７を配置可能な広さ及び深さにされている。
【００５３】
第３溝８３は、前後方向８における第１溝８１の前端部から、左右方向９に沿って延びるように設けられている。第３溝８３の溝幅（前後方向８における長さ）及び深さは、２本の電話線７８，７９を配置可能な広さ及び深さにされている。すなわち、第２溝８２と第３溝８３とは、前後方向８における第１溝８１の前側で合流し、第１溝８１に接続される。これにより、第１通路３５と第２通路３６とが一体となる。
【００５４】
第１溝８１と第２溝８２と第３溝８３との接続部において、第１通路３５及び第２通路３６は湾曲している。この接続部を湾曲部３７（湾曲部に相当する）とする。図８（Ｃ）に示されるように、湾曲部３７における溝の深さは、第１通路３５の他の部分の溝の深さよりも深くされている。これは、湾曲部３７において撓められたＵＳＢケーブル７６及びＬＡＮケーブル７７が、自己の弾性により第１通路３５外へ飛び出してしまうことを抑制するためである。なお、本実施形態においては、第１通路３５は、左右方向９における中央部側から右端部側に向かって延びているため、前後方向８における第１溝８１の前端部側で湾曲する必要がある。しかしながら、第２通路３６の配置によっては、第２通路３６に湾曲部３７が形成されてもよい。
【００５５】
図２，７に示されるように、第３溝８３の左右方向９における長さは、第２溝８２の左右方向９における長さよりも短くされている。よって、左右方向９における第３溝８３の左端を区画する左側壁８５は、第２溝８２の左端を区画する左側壁８４より右側に位置している。この左側壁８４，８５に、コネクタを露出させる開口が設けられている。以下詳細な説明がされる。
【００５６】
左側壁８４には、前後方向８において並ぶ２つの第１開口８６，８７（第１開口に相当する）が開口されている。前後方向８における後側の第１開口８６は、制御基板９０（図８（Ａ））に実装されたＵＳＢコネクタ９５を外部に露出させる。前側の第１開口８７は、制御基板９０に実装されたＬＡＮコネクタ９７を外部に露出させる。ＵＳＢコネクタ９５には、ＵＳＢケーブル７６の一端に設けられたコネクタ７６Ａが接続される。ＵＳＢケーブル７６の他端は、パーソナルコンピュータ１０５（図９）等に接続される。ＬＡＮコネクタ９７には、ＬＡＮケーブル７７の一端に設けられたコネクタ７７Ａが接続される。ＬＡＮコネクタ９７の他端には、モデム１０４（またはルータ）に接続される。
【００５７】
左側壁８５には、前後方向８において並ぶ２つの第２開口８８，８９（第２開口に相当する）が開口されている。前後方向８における後側の第２開口８８は、通信基板７０（図８（Ａ））に実装されたＬＩＮＥコネクタ７３を外部に露出させる。前側の第２開口８９は、通信基板７０に実装されたＥＸＴコネクタ７４を外部に露出させる。ＬＩＮＥコネクタ７３及びＥＸＴコネクタ７４には、電話線７８，７９の端に設けられたコネクタ７８Ａ、７９Ａが接続される。ＬＩＮＥコネクタ７３に一端が接続された電話線７８の他端は電話回線１０６（図９）に接続される。ＥＸＴコネクタ７４に一端が接続された電話線７９の他端は外部電話機１０７（図９）に接続される。第１開口８６，８７及び第２開口８８，８９が設けられたカバー８０により、制御基板９０及び通信基板７０にユーザが触れることを防止しながらも、外部からＵＳＢケーブル７６、ＬＡＮケーブル７７及び電話線７８，７９を制御基板９０及び通信基板７０に接続できる。
【００５８】
ＵＳＢケーブル７６のコネクタ７６Ａ及びＬＡＮケーブル７７のコネクタ７７ＡをＵＳＢコネクタ９５及びＬＡＮコネクタ９７に接続し易くするために、左右方向９における第２溝８２の左部である幅広部８２Ａは、右部よりも、溝幅（前後方向８における長さ）が広くされている。また、電話線７８，７９のコネクタ７８Ａ，７９ＡをＬＩＮＥコネクタ７３及びＥＸＴコネクタ７４に接続し易くするために、第３溝８３の溝幅（前後方向８における長さ）は、第２溝８２の幅広部８２Ａと同程度の広さの溝幅にされている。
【００５９】
［制御基板９０］
図４に示されるように、制御基板９０（制御基板に相当する）は、支持板２３に載置されており、給紙カセット３０の上側であり、カバー８０の下側であり、且つ前後方向８における記録部６０の前側に位置している。制御基板９０は、上下方向７（高さ方向に相当する）に直交する仮想面に実装面９３（実装面に相当する）を沿わせ、実装面９３を上へ向けて配置されている。
【００６０】
図８に示されるように、制御基板９０には、マイクロコンピュータ９１や、種々の実装部品９２（実装部品に相当する）が実装されている。実装部品９２は、抵抗や、ダイオードや、コンデンサや、コイル等である。マイクロコンピュータ９１により、駆動モータ（不図示）や記録ヘッド６２やスキャナ部１２の駆動を制御する制御回路９９（図９、制御回路に相当する）が実現されている。
【００６１】
また、制御基板９０には、ＵＳＢコネクタ９５，９６、ＬＡＮコネクタ９７及びカードソケット９８が実装されている。
【００６２】
ＵＳＢコネクタ９５（図８（Ａ）、第１コネクタに相当する）は、左右方向９における第１開口８６（図２）の左側に配置されいる。ＬＡＮコネクタ９７（図８（Ａ）、第３コネクタに相当する）は、左右方向９における第１開口８７（図２）の左側に配置されいる。ＵＳＢコネクタ９５及びＬＡＮコネクタ９７は、ＵＳＢケーブル７６のコネクタ７６Ａ（図７）及びＬＡＮケーブル７７のコネクタ７７Ａ（図７）が接続される接続部を左右方向９における右方へ向けて配置されている。
【００６３】
図６に示されるように、ＵＳＢコネクタ９５及びＬＡＮコネクタ９７は、シールド部材４８により覆われている。シールド部材４８は、鉄板等の金属板を折り曲げて形成されており、制御基板９０の上側（実装面９３側）に配置されている。シールド部材４８は、磁気を遮蔽する。
【００６４】
シールド部材４８には、第１窓４９Ａ，４９Ｂが開口されている。第１窓４９Ａは、ＵＳＢコネクタ９５の左右方向９における右側に設けられている。第１窓４９Ｂは、ＬＡＮコネクタ９７の左右方向９における右側に設けられている。ＵＳＢケーブル７６のコネクタ７６Ａは、カバー８０の第１開口８６及びシールド部材４８の第１窓４９Ａを通じてＵＳＢコネクタ９５に接続される。ＬＡＮケーブル７７のコネクタ７７Ａは、カバー８０の第１開口８７及びシールド部材４８の第１窓４９Ｂを通じてＬＡＮコネクタ９７に接続される。
【００６５】
上述のように、ＵＳＢコネクタ９５及びＬＡＮコネクタ９７は、左右方向９における右方を向いて配置されている。つまり、ＵＳＢコネクタ９５及びＬＡＮコネクタ９７は、スキャナ部１２の回動軸以外を向いて配置されている。よって、ＵＳＢケーブル７６のコネクタ７６Ａ及びＬＡＮケーブル７７のコネクタ７７Ａを左右方向９における右側からＵＳＢコネクタ９５及びＬＡＮコネクタ９７に接続させる際に、スキャナ部１２が邪魔になることがない。
【００６６】
ＵＳＢコネクタ９６は、前後方向８における第１挿入口２７（図３（Ａ））の後側に配置されている。ＵＳＢコネクタ９６は、ＵＳＢメモリ１０１（登録商標）が接続される接続部を前後方向８における前方へ向けて配置されている。
【００６７】
カードソケット９８は、前後方向８における第２挿入口２８（図３（Ａ））の後側に配置されている。カードソケット９８は、上下に並んで設けられた２つのスロットを備えている。一方のスロットには、ＳＤカード１０３（登録商標）が挿入される。他方のスロットには、メモリスティック１０２（登録商標）が挿入される。カードソケット９８は、スロットを前後方向８における前方へ向けて配置されている。
【００６８】
制御基板９０には、接続ケーブル７５の一端が接続されている。接続ケーブル７５の他端は、通信基板７０に接続されている。
【００６９】
［通信基板７０］
図８（Ａ），（Ｂ）に示されるように、通信基板７０（通信基板に相当する）は、左右方向９における制御基板９０の右側に、制御基板９０から離間して配置されており、カバー８０（図２）の下側且つカートリッジ装着部６４（図５）の上側に位置している。このような位置に通信基板７０が配置されることにより、カートリッジ装着部６４に装着されたインクカートリッジ６５からインクが漏れ出したとしても、通信基板７０にインクが付着することを防止できる。例えば、カートリッジ装着部６４に装着できない規格のインクカートリッジ６５が無理にカートリッジ装着部６４に押し込まれ、インクカートリッジ６５からインクが漏れ出したとしても、漏れ出したインクは通信基板７０に付着しない。
【００７０】
また、通信基板７０は、上下方向７に直交する仮想面に実装面７１（実装面に相当する）を沿わせて配置されている。また、通信基板７０は、制御基板９０に実装された実装部品９２のうち、最も背の高い実装部品９２Ａから制御基板９０までの高さ範囲Ｈ内に配置されている。最も背の高い実装部品９２Ａは、例えば、大容量の電解コンデンサである。このように通信基板７０が配置されることにより、通信基板７０を装置筐体２１の下部に配置した場合に比べ、装置筐体２１の高さを低くできる。
【００７１】
また、通信基板７０は、実装面７１を下へ向け、制御基板９０より上方となる位置に配置されている。通信基板７０の実装面７１が下を向き、制御基板９０の実装面９３が上を向き、通信基板７０が制御基板９０より上方に配置されているので、制御基板９０と通信基板７０とを電気的に接続する接続ケーブル７５の引き回しが容易になる。
【００７２】
通信基板７０には、制御回路９９と電話回線１０６との間のインタフェース回路７２（図９、インタフェース回路に相当する）を実現する種々の電子部品（不図示）が実装されている。通信基板７０には、一端が制御基板９０に接続された接続ケーブル７５の他端が接続されている。インタフェース回路７２と制御回路９９とは、接続ケーブル７５により電気的に接続されている。
【００７３】
また、通信基板７０には、電気回路パターンによりインタフェース回路７２と電気的に接続されたＬＩＮＥコネクタ７３（第２コネクタに相当する）及びＥＸＴコネクタ７４（第４コネクタに相当する）が実装されている。
【００７４】
ＬＩＮＥコネクタ７３は、左右方向９における第２開口８８（図２）の左側に配置されている。ＥＸＴコネクタ７４は、左右方向９における第２開口８９（図２）の左側に配置されている。ＬＩＮＥコネクタ７３及びＥＸＴコネクタ７４は、電話線７８，７９のコネクタ７８Ａ，７９Ａ（図７）が接続される接続部を左右方向９における右方へ向けて配置されている。
【００７５】
図６に示されるように、ＬＩＮＥコネクタ７３及びＥＸＴコネクタ７４は、シールド部材５８により覆われている。シールド部材５８は、鉄板等の金属板を折り曲げて形成されており、通信基板７０の上側に配置されている。シールド部材５８は、磁気を遮蔽する。
【００７６】
シールド部材５８には、第２窓５９Ａ，５９Ｂが開口されている。第２窓５９Ａは、ＬＩＮＥコネクタ７３の左右方向９における右側に設けられている。第２窓５９Ｂは、ＥＸＴコネクタ７４の左右方向９における右側に設けられている。電話線７８のコネクタ７８Ａは、カバー８０の第２開口８８及びシールド部材５８の第２窓５９Ａを介してＬＩＮＥコネクタ７３に接続される。電話線７９のコネクタ７９Ａは、カバー８０の第２開口８９及びシールド部材５８の第２窓５９Ｂを介してＥＸＴコネクタ７４に接続される。インタフェース回路７２は、ＬＩＮＥコネクタ７３、ＥＸＴコネクタ７４及び電話線７８，７９を介して、電話回線１０６及び外部電話機１０７（図９）と電気的に接続される。
【００７７】
上述のように、ＬＩＮＥコネクタ７３及びＥＸＴコネクタ７４は、左右方向９における右方を向いて配置されている。つまり、ＬＩＮＥコネクタ７３及びＥＸＴコネクタ７４は、スキャナ部１２の回動軸以外を向いて配置されている。よって、電話線７８，７９のコネクタ７８Ａ，７９Ａを左右方向９における右側からＬＩＮＥコネクタ７３及びＥＸＴコネクタ７４に接続させる際に、スキャナ部１２が邪魔になることがない。
【００７８】
また、上述のように、ＵＳＢコネクタ９５、ＬＡＮコネクタ９７、ＬＩＮＥコネクタ７３及びＥＸＴコネクタ７４は、全て同じ向き（左右方向９における右向き）を向いて配置されている。よって、ユーザは、視線の向きを変えることなく、相手側コネクタをＬＩＮＥコネクタ７３、ＥＸＴコネクタ７４、ＵＳＢコネクタ９５及びＬＡＮコネクタ９７に接続できる。
【００７９】
また、ＬＩＮＥコネクタ７３及びＥＸＴコネクタ７４は、前後方向８（第１方向または第２方向に相当する）及び左右方向９（第２方向または第１方向に相当する）において、ＵＳＢコネクタ９５及びＬＡＮコネクタ９７と、互いに異なる位置に配置されている。よって、ＬＩＮＥコネクタ７３及びＥＸＴコネクタ７４にＵＳＢケーブル７６のコネクタ７６Ａ及びＬＡＮケーブル７７のコネクタ７７Ａを接続させる際に、電話線７８，７９が邪魔になることがない。また、ＬＩＮＥコネクタ７３及びＥＸＴコネクタ７４に電話線７８，７９のコネクタ７８Ａ，７９Ａを接続させる際に、ＵＳＢケーブル７６及びＬＡＮケーブル７７が邪魔になることがない。
【００８０】
［実施形態の動作］
最初に、図９に示されるＵＳＢメモリ１０１（登録商標）やＳＤカード１０３（登録商標）やメモリスティック１０２（登録商標）を画像記録装置１０に装着する際の動作について説明がされる。まず、ユーザは、コネクタパネル２５を開き（図３（Ａ））、ＵＳＢコネクタ９６及びカードソケット９８を露出させる。次に、ユーザは、第１挿入口２７を通じてＵＳＢメモリ１０１（登録商標）をＵＳＢコネクタ９６に接続させる。また、ユーザは、第２挿入口２８を通じてＳＤカード１０３（登録商標）やメモリスティック１０２（登録商標）をカードソケット９８のスロットに挿入する。
【００８１】
次に、ＵＳＢケーブル７６、ＬＡＮケーブル７７及び２本の電話線７８，７９の配線作業について、図２，７を参照して説明がされる。なお、以下では、ＵＳＢケーブル７６、ＬＡＮケーブル７７、電話線７８、電話線７９の順に配線される場合について説明がされるが、配線の順番は変えられてもよい。
【００８２】
まず、ユーザは、スキャナ部１２を開き、カバー８０を露出させる。次に、ユーザは、第１開口８６及び第１窓４９Ａを通じて、ＵＳＢケーブル７６のコネクタ７６ＡをＵＳＢコネクタ９５（図８（Ａ））に接続させる。その後、ユーザは、ＵＳＢケーブル７６の一端部を第１通路３５に配置する。これにより、ＵＳＢケーブル７６は、湾曲部３７において第１通路３５に沿って湾曲する。第１通路３５に一端部が配置されたＵＳＢケーブル７６は、第３開口８１Ａから前後方向８における後方へ引き出される。ＵＳＢケーブル７６の他端は、パーソナルコンピュータ１０５（図９）に接続される。なお、ＵＳＢケーブル７６の一端部を第１通路３５に配置した後に、ＵＳＢケーブル７６のコネクタ７６ＡをＵＳＢコネクタ９５に接続してもよい。
【００８３】
次に、ユーザは、第１開口８７及び第１窓４９Ｂを通じて、ＬＡＮケーブル７７のコネクタ７７ＡをＬＡＮコネクタ９７（図８（Ａ））に接続させる。その後、ユーザは、ＬＡＮケーブル７７の一端部を第１通路３５に配置する。これにより、ＬＡＮケーブル７７は、湾曲部３７において第１通路３５に沿って湾曲する。第１通路３５に一端部が配置されたＬＡＮケーブル７７は、第３開口８１Ａから前後方向８における後方へ引き出される。ＬＡＮケーブル７７の他端は、モデム１０４（図９）に接続される。なお、ＬＡＮケーブル７７の一端部を第１通路３５に配置した後に、ＬＡＮケーブル７７のコネクタ７７ＡをＬＡＮコネクタ９７に接続してもよい。
【００８４】
次に、ユーザは、第２開口８８及び第２窓５９Ａを通じて、電話線７８のコネクタ７８ＡをＬＩＮＥコネクタ７３（図８（Ａ））に接続させる。その後、ユーザは、第２開口８８に近い位置で後方に向けて電話線７８を湾曲させ、電話線７８の一端部を第２通路３６に配置する。第２通路３６に一端部が配置された電話線７８は、第３開口８１Ａから前後方向８における後方へ引き出される。電話線７８の他端は、電話回線１０６（図９）に接続される。なお、電話線７８の一端部を第２通路３６に配置した後に、電話線７８のコネクタ７８ＡをＬＩＮＥコネクタ７３に接続してもよい。
【００８５】
次に、ユーザは、第２開口８９及び第２窓５９Ｂを通じて、電話線７９のコネクタ７９ＡをＥＸＴコネクタ７４に接続させる。その後、ユーザは、第２開口８９に近い位置で後方に向けて電話線７９を湾曲させ、電話線７９の一端部を第２通路３６に配置する。第２通路３６に一端部が配置された電話線７９は、第３開口８１Ａから前後方向８における後方へ引き出される。電話線７９の他端は、外部電話機１０７（図９）に接続される。なお、電話線７９の一端部を第２通路３６に配置した後に、電話線７９のコネクタ７９ＡをＥＸＴコネクタ７４に接続してもよい。
【００８６】
［実施形態の効果］
本実施形態では、通信基板７０は、上下方向７に直交する仮想面に実装面７１を沿わせ、且つ、制御基板９０に実装された実装部品９２のうち、最も背の高い実装部品９２Ａから制御基板９０までの高さ範囲Ｈ内となる高さ位置に配置されている。したがって、通信基板７０を装置筐体２１の下部に配置する場合に比べ、装置筐体２１の高さを低くできる。その結果、画像記録装置１０を小型化できる。
【００８７】
また、本実施形態では、通信基板７０を制御基板９０の左右方向９における隣に配置しているので、通信基板７０を装置筐体２１の下部に配置した場合よりも、接続ケーブル７５を短くできる。
【００８８】
また、本実施形態では、通信基板７０は、カートリッジ装着部６４の上側に配置されている。したがって、インクカートリッジ６５から漏れたインクが通信基板７０に付着することを防止できる。
【００８９】
本実施形態では、制御基板９０に実装されたＵＳＢコネクタ９６及びカードソケット９８を画像記録装置１０の前面側に露出させるため、制御基板９０は、装置筐体２１の前後方向８における前部に配置されている。そのため、制御基板９０に実装されたＵＳＢコネクタ９５及びＬＡＮコネクタ９７は、前後方向８における装置筐体２１の中央部に位置しており、装置筐体２１の後面から離れている。一方、ＵＳＢケーブル７６及びＬＡＮケーブル７７は、前後方向８における装置筐体２１の後面から後方へ引き出される方が、ユーザにとって使い勝手がよい。そうすると、ＵＳＢケーブル７６及びＬＡＮケーブル７７は、カバー８０上において引き回して配線されることになる。本実施形態では、カバー８０に設けた第１通路３５により、カバー８０上においてＵＳＢケーブル７６及びＬＡＮケーブル７７を位置決めできるので、ＵＳＢケーブル７６及びＬＡＮケーブル７７の配線作業が容易である。また、カバー８０に設けた第２通路３６により、電話線７８，７９を位置決めできるので、電話線７８，７９の配線作業が容易である。
【００９０】
また、本実施形態では、ＵＳＢケーブル７６、ＬＡＮケーブル７７及び電話線７８，７９は、第１溝８１内に配置されている。この第１溝８１は、前後方向８に沿って延びている。よって、ＵＳＢケーブル７６、ＬＡＮケーブル７７及び電話線７８，７９に、前後方向８に直交する向きの負荷が誤って加わえられたとしても、この負荷がＵＳＢコネクタ９５、ＬＡＮコネクタ９７、ＬＩＮＥコネクタ７３及びＥＸＴコネクタ７４に直接加わることがない。その結果、ＵＳＢコネクタ９５、ＬＡＮコネクタ９７、ＬＩＮＥコネクタ７３及びＥＸＴコネクタ７４や、これらに接続されるコネクタ７６Ａ，７７Ａ，７８Ａ，７９Ａの破損を抑制できる。
【００９１】
また、本実施形態では、第１通路３５に湾曲部３７が設けられているので、ＵＳＢケーブル７６、ＬＡＮケーブル７７及び電話線７８，７９が前後方向８における後方へ誤って引っ張られた場合に、ＵＳＢケーブル７６、ＬＡＮケーブル７７及び電話線７８，７９がＵＳＢコネクタ９５、ＬＡＮコネクタ９７、ＬＩＮＥコネクタ７３、ＥＸＴコネクタ７４から外れてしまうことを抑制できる。
【００９２】
また、本実施形態では、湾曲部３７における溝の深さは、第１通路３５及び第２通路３６の他の部分における溝の深さよりも深くされている。よって、湾曲部３７において撓められたＵＳＢケーブル７６、ＬＡＮケーブル７７が、第１通路３５から外れることを抑制できる。その結果、ＵＳＢケーブル７６、ＬＡＮケーブル７７及び電話線７８，７９の配線作業が容易になる。
【００９３】
また、本実施形態では、第１溝８１及び第２溝８２により第１通路３５を構成し、第１溝８１及び第３溝８３により第２通路３６を構成している。つまり、第１通路３５と第２通路３６とは、第１溝８１を共通部分としている。よって、第１通路３５と第２通路３６とを分けて設ける場合に比べ、カバー８０の構成が簡単になる。また、ＵＳＢケーブル７６、ＬＡＮケーブル７７及び電話線７８，７９を纏めて装置筐体２１の後方へ引き出すことができ、配線が容易になる。
【００９４】
また、本実施形態では、第１通路３５及び第２通路３６は、閉じられたスキャナ部１２により覆われる。よって、第１通路３５及び第２通路３６に配置されたＵＳＢケーブル７６、ＬＡＮケーブル７７及び電話線７８，７９をスキャナ部１２により覆い隠すことができる。
【００９５】
また、本実施形態では、ＵＳＢコネクタ９５、ＬＡＮコネクタ９７、ＬＩＮＥコネクタ７３及びＥＸＴコネクタ７４は、全て同じ向き（左右方向９における右向き）へ向けられ、且つ、スキャナ部１２の回動軸以外を向くように配置されている。よって、ユーザは、視線の向きを変えることなくコネクタ７６Ａ，７７Ａ，７８Ａ，７９ＡをＵＳＢコネクタ９５、ＬＡＮコネクタ９７、ＬＩＮＥコネクタ７３及びＥＸＴコネクタ１０５に接続でき、且つ、接続の際にスキャナ部１２が邪魔になることがない。その結果、コネクタ７６Ａ，７７Ａ，７８Ａ，７９ＡをＵＳＢコネクタ９５、ＬＡＮコネクタ９７、ＬＩＮＥコネクタ７３及びＥＸＴコネクタ７４に接続する作業が容易になる。
【００９６】
また、本実施形態では、第２溝８２に幅広部８２Ａを設け、第２開口８８の溝幅を幅広部８２Ａと同じ広さとしている。よって、コネクタ７６Ａ，７７Ａ，７８Ａ，７９ＡをＵＳＢコネクタ９５、ＬＡＮコネクタ９７、ＬＩＮＥコネクタ７３及びＥＸＴコネクタ７４に容易に接続できる。
【００９７】
［変形例１］
上述の実施形態では、第１溝８１、第２溝８２、第３溝８３により第１通路３５及び第２通路３６が構成された例が説明された。本変形例では、図１０に示されるように、複数個のリブ４７により第１通路３５及び第２通路３６が構成される例が説明される。
【００９８】
第１開口８６，８７及び第２開口８８，８９は、カバー８０を上下方向７において貫通するように設けられている。前後方向８及び左右方向９における第１開口８６，８７及び第２開口８８，８９の位置は、上述の実施形態と同じである。
【００９９】
カバー８０は、第１溝８１、第２溝８２及び第３溝８３の代わりに、上面から上向きに突出する複数個のリブ４７を備えている。複数個のリブ４７は、１点鎖線により示される第１通路３５、及び２点鎖線により示される第２通路３６に沿って設けられている。
【０１００】
ＵＳＢコネクタ９５及びＬＡＮコネクタ９７は、コネクタ７６Ａ，７７Ａ（図７）が接続される接続部を上へ向けて制御基板９０に実装されている。また、ＬＩＮＥコネクタ７３及びＥＸＴコネクタ７４は、コネクタ７８Ａ，７９Ａ（図７）が接続される接続部を上へ向けて通信基板７０に実装されている。本変形例のその他の構成は、上述の実施形態と同じである。
【０１０１】
第１通路３５及び第２通路３６が複数個のリブ４７により構成されても、上述の実施形態と同様にＵＳＢケーブル７６、ＬＡＮケーブル７７及び電話線７８，７９を配線でき、配線が容易である。
【０１０２】
［変形例２］
上述の実施形態では、上下方向７に直交する仮想面に実装面７１を沿わせて通信基板７０を配置した例が説明された。本変形例では、図１１に示されるように、上下方向７及び前後方向８に実装面７１を沿わせて通信基板７０を配置した例が説明される。
【０１０３】
通信基板７０は、左右方向９における制御基板９０の右側に、制御基板９０から離間して配置されている。また、通信基板７０は、実装面７１を左右方向９における右方に向けて配置されている。ＬＩＮＥコネクタ７３及びＥＸＴコネクタ７４は、コネクタ７８Ａ，７９Ａ（図７）が接続される接続部を左右方向９における右方へ向けて実装されている。通信基板７０は、ＬＩＮＥコネクタ７３及びＥＸＴコネクタ７４がＵＳＢコネクタ９５及びＬＡＮコネクタ９７と同じ高さ位置となって、第２開口８８，８９から外部に露出される高さ位置に配置される。本変形例のその他の構成は、上述の実施形態と同じである。
【０１０４】
本変形例では、通信基板７０は、ＬＩＮＥコネクタ７３及びＥＸＴコネクタ７４がＵＳＢコネクタ９５及びＬＡＮコネクタ９７と同じ高さ位置になるように配置されている。したがって、通信基板７０の少なくとも一部は、最も背の高い実装部品９２Ａから制御基板９０までの高さ範囲Ｈ内にある。よって、通信基板７０を装置筐体２１の下部に配置した構成に比べ、装置筐体２１の高さを低くできる。また、本変形例では、通信基板７０を横置きした上述の実施形態に比べ、装置筐体２１の幅（左右方向９における長さ）を狭くできる。その結果、画像記録装置１０を小型化できる。
【０１０５】
［その他の変形例］
上述の実施形態では、スキャナ部１２により、第１通路３５及び第２通路３６が覆い隠される例が説明された。しかしながら、スキャナ部１２の代わりに、または、カバー８０とスキャナ部１２との間に、第１通路３５及び第２通路３６を覆い隠し、且つ第１通路３５及び第２通路３６を露出するように回動される蓋が設けられていてもよい。
【０１０６】
また、上述の実施形態では、前後方向８における後端部を軸にスキャナ部１２が回動可能に設けられた例が説明された。しかしながら、左右方向９における左端部または右端部を軸にスキャナ部１２が回動可能に設けられていてもよい。
【０１０７】
また、上述の実施形態では、実装面９３を上に向けて制御基板９０を配置し、実装面７１を下に向け通信基板７０を配置した例が説明された。しかしながら、実装面９３を下に向けて制御基板９０を配置してもよいし、実装面７１を上に向けて通信基板７０を配置してもよい。
【０１０８】
また、上述の実施形態では、通信基板７０が制御基板９０より上方となるように通信基板７０及び制御基板９０を配置した例が説明された。しかしながら、通信基板７０が制御基板９０より下方となるように通信基板７０及び制御基板９０を配置してもよい。また、通信基板７０と制御基板９０とが同じ高さ位置になるように通信基板７０及び制御基板９０を配置してもよい。
【０１０９】
また、上述の実施形態では、給紙カセット３０の上側に制御基板９０を配置し、カートリッジ装着部６４の上側に通信基板７０を配置した例が説明された。しかしながら、給紙カセット３０の上側に通信基板７０を配置し、カートリッジ装着部６４の上側に制御基板９０を配置してもよい。また、カートリッジ装着部６４の下方となる位置に通信基板７０及び制御基板９０を配置してもよい。
【０１１０】
また、上述の実施形態では、前後方向８における装置筐体２１の前部に通信基板７０及び制御基板９０を配置した例が説明された。しかしながら、制御基板９０にＵＳＢコネクタ９６及びカードソケット９８を設けない場合は、前後方向８における装置筐体２１の後部に通信基板７０及び制御基板９０を配置してもよい。
【０１１１】
また、上述の実施形態では、前後方向８及び左右方向９において互いに異なる位置にＵＳＢコネクタ９５及びＬＡＮコネクタ９７と、ＬＩＮＥコネクタ７３及びＥＸＴコネクタ７４とを配置した例が説明された。しかしながら、前後方向８のみ、または左右方向９のみ、互いに異なる位置にＵＳＢコネクタ９５及びＬＡＮコネクタ９７と、ＬＩＮＥコネクタ７３及びＥＸＴコネクタ７４とを配置してもよい。
【０１１２】
また、上述の実施形態では、ＵＳＢコネクタ９５、ＬＡＮコネクタ９７、ＬＩＮＥコネクタ７３及びＥＸＴコネクタ７４が全て同じ向きを向くようにＵＳＢコネクタ９５、ＬＡＮコネクタ９７、ＬＩＮＥコネクタ７３及びＥＸＴコネクタ７４を配置した例が説明された。しかしながら、それぞれ異なる向きを向くようにＵＳＢコネクタ９５、ＬＡＮコネクタ９７、ＬＩＮＥコネクタ７３及びＥＸＴコネクタ７４を配置してもよい。
【０１１３】
また、上述の実施形態では、ＵＳＢコネクタ９５、ＬＡＮコネクタ９７、ＬＩＮＥコネクタ７３及びＥＸＴコネクタ７４がスキャナ部１２の回動軸以外を向くようにＵＳＢコネクタ９５、ＬＡＮコネクタ９７、ＬＩＮＥコネクタ７３及びＥＸＴコネクタ７４を配置した例が説明された。しかしながら、ＵＳＢコネクタ９５、ＬＡＮコネクタ９７、ＬＩＮＥコネクタ７３及びＥＸＴコネクタ７４がスキャナ部１２の回動軸を向くようにＵＳＢコネクタ９５、ＬＡＮコネクタ９７、ＬＩＮＥコネクタ７３及びＥＸＴコネクタ７４を配置してもよい。
【０１１４】
また、上述の実施形態では、第１通路３５と第２通路３６とが、第１溝８１を共通部分とする例が説明された。しかしながら、第１通路３５と第２通路３６とが分けて設けられていてもよい。
【０１１５】
また、上述の実施形態では、制御基板９０にＵＳＢコネクタ９５及びＬＡＮコネクタ９７が実装され、通信基板７０にＬＩＮＥコネクタ７３及びＥＸＴコネクタ７４が実装された例が説明された。しかしながら、制御基板９０にＵＳＢコネクタ９５のみ、またはＬＡＮコネクタ９７のみが実装され、通信基板７０にＬＩＮＥコネクタ７３のみが実装されていてもよい。
【０１１６】
また、上述の実施形態では、制御基板９０にＵＳＢコネクタ９６及びカードソケット９８が実装された例が説明された。しかしながら、制御基板９０にＵＳＢコネクタ９６のみ、またはカードソケット９８のみが実装されていてもよいし、制御基板９０にＵＳＢコネクタ９６及びカードソケット９８が実装されていなくてもよい。
【０１１７】
また、上述の実施形態では、第１通路３５及び第２通路３６の湾曲部３７における溝の深さを他の部分における溝の深さよりも深くした例が説明された。しかしながら、湾曲部３７における溝の深さを他の部分における溝の深さと同じまたは浅くしていてもよい。
【符号の説明】
【０１１８】
６・・・シート
１０・・・画像記録装置
１１・・・プリンタ部
１２・・・スキャナ部
１３・・・通話機
２１・・・装置筐体
３０・・・給紙カセット
３１・・・メイントレイ
３５・・・第１通路
３６・・・第２通路
３７・・・湾曲部
６２・・・記録ヘッド
６３・・・チューブ
６４・・・カートリッジ装着部
６５・・・インクカートリッジ
７０・・・通信基板
７１・・・実装面
７２・・・インタフェース回路
７３・・・ＬＩＮＥコネクタ
７４・・・ＥＸＴコネクタ
８０・・・カバー
８６，８７・・・第１開口
８８，８９・・・第２開口
９０・・・制御基板
９２・・・実装部品
９３・・・実装面
９５・・・ＵＳＢコネクタ
９７・・・ＬＡＮコネクタ
９９・・・制御回路
【図１】
0005927828.tif 000002
【図２】
0005927828.tif 000003
【図３】
0005927828.tif 000004
【図４】
0005927828.tif 000005
【図５】
0005927828.tif 000006
【図６】
0005927828.tif 000007
【図７】
0005927828.tif 000008
【図８】
0005927828.tif 000009
【図９】
0005927828.tif 000010
【図１０】
0005927828.tif 000011
【図１１】
0005927828.tif 000012